(57)【要約】【課題】不完全な接続をより確実に検出することができ、また、何らかの原因により１つの差込検出ボタンが動作しなかった場合でも別の差込検出ボタンが動作するので信頼性を向上することができる電源プラグを提供する。【解決手段】プラグ本体２のコンセント接続面に設けられた栓刃４，４間の中心と、栓刃４，４の斜め上側となるコンセント接続面の左右上隅部の２箇所に不完全な接続を検出するための差込検出ボタン６をスプリングバネ７の付勢によりコンセント接続面から突出するようにして出没可能に配置し、３つの差込検出ボタン６のうち少なくとも１つがコンセント接続面から所定量突出した場合にＬＥＤの点灯及びブザーの鳴動により異常を報知する。【選択図】図１
2008305684.tif 000002
【特許請求の範囲】
【請求項１】
コンセントに差込接続するための１対の栓刃をプラグ本体に突設した電源プラグにおいて、前記プラグ本体のコンセント接続面の複数箇所に不完全な接続を検出するための差込検出ボタンを弾性体の付勢によりコンセント接続面から突出するようにして出没可能に配置し、複数の差込検出ボタンのうち少なくとも１つがコンセント接続面から所定量突出した場合に報知手段から異常を報知することを特徴とする電源プラグ。
【発明の詳細な説明】
【技術分野】
【０００１】
本発明は、コンセントに差込接続するための栓刃を有する電源プラグに関する。
【背景技術】
【０００２】
電気機器の電源コードの先端に設けられたり、電源を分配するためのコンセントタップなどに設けられ、コンセントに接続するための栓刃を有する電源プラグは、壁コンセントに差込接続した際に、電源コードが引っ張られたり、自重などにより差込が不完全になる場合があり、電源プラグの差込が不完全な状態で栓刃間に塵埃が溜まると、トラッキング現象が起こって発火する虞がある。そこで電源プラグの差込不足を防止するものとしては、例えば特許文献１（特開平１０−２７５６７３号公報）に記載のものがある。この電源プラグはコンセント接続面に差込検出ボタンを設け、電源プラグの差込が不完全な場合に差込検出ボタンがプラグ本体から突出してスイッチがオフすることで機器への通電を遮断するようになっている。
【０００３】
【特許文献１】特開平１０−２７５６７３号公報
【発明の開示】
【発明が解決しようとする課題】
【０００４】
従来の電源プラグはコンセント接続面の１箇所にだけ差込検出ボタンが設けられており、何らかの原因で差込検出ボタンが動作しない場合は電源プラグの不完全な接続を検出することができず、また、差込検出ボタンの配置位置と電源プラグが抜ける角度によってはコンセントと電源プラグとの間隔が異常となる程度に離れていても差込検出ボタンが動作しない虞があった。
【課題を解決するための手段】
【０００５】
本発明は、コンセントに差込接続するための１対の栓刃をプラグ本体に突設した電源プラグにおいて、プラグ本体のコンセント接続面の複数箇所に不完全な接続を検出するための差込検出ボタンを弾性体の付勢によりコンセント接続面から突出するようにして出没可能に配置し、複数の差込検出ボタンのうち少なくとも１つがコンセント接続面から所定量突出した場合に報知手段から異常を報知することを特徴とする。
【発明の効果】
【０００６】
本発明によれば、不完全な接続をより確実に検出することができ、また、何らかの原因である１つの差込検出ボタンが動作しなかった場合でも別の差込検出ボタンが動作するので信頼性を向上することができるという効果がある。
【発明を実施するための最良の形態】
【０００７】
プラグ本体のコンセント接続面に設けられた栓刃間の中心と、栓刃の斜め上側となるコンセント接続面の左右上隅部の２箇所に不完全な接続を検出するための差込検出ボタンをスプリングバネの付勢によりコンセント接続面から突出するようにして出没可能に配置し、３つの差込検出ボタンのうち少なくとも１つがコンセント接続面から所定量突出した場合にＬＥＤの点灯及びブザーの鳴動により異常を報知する。
【実施例１】
【０００８】
本発明に係る電源プラグの実施例１を図１〜図５の添付図面に基づいて説明する。
【０００９】
図１に示すように、電源プラグ１は樹脂製のプラグ本体２のコンセント接続面２ａにコンセント３に差込接続するための１対の栓刃４，４が突設されている。プラグ本体２は、コンセント接続面２ａの栓刃４，４間の中心と、栓刃４，４の斜め上側となるコンセント接続面２ａの左右上隅部の２箇所に孔５が形成され、これら３箇所の孔５には差込検出ボタン６が先端を栓刃４の差込方向に出没可能にした上で、図２に示すように弾性体としてのスプリングバネ７の付勢によりプラグ本体２から突出した状態に設けられ、差込検出ボタン６の基端に対向してプリント基板８にｂ接点のスイッチ９が配置されている。
【００１０】
図３に示すように、電源プラグ１の回路は、栓刃４，４と電気的に接続された電路１０，１０に接続されて各回路に電源を供給するための電源回路１１と、電源回路１１に並列に接続された３つのスイッチ９，９，９と、電源から流入するノイズを防止するためのノイズ防止回路１２と、報知手段としてのＬＥＤ点灯回路１３及びブザー駆動回路１４とで構成している。図４に示すようにＬＥＤ点灯回路１３のＬＥＤ１５はプラグ本体２の表面に視認可能に配置され、ブザー駆動回路１４のブザー１６はプラグ本体２内に設けられている。
【００１１】
このように構成された電源プラグ１は、コンセント３に栓刃４，４を差し込むとプラグ本体２から突出した差込検出ボタン６の先端がコンセント３の表面に当接し、更に栓刃４，４を差し込んでいくと図５に示すようにスプリングバネ７の付勢力に抗してプラグ本体２内に没入するようになっている。このとき、差込検出ボタン６の基端がスイッチ９を押してオフし、異常監視状態となる。
【００１２】
電源プラグ１がコンセント３に差し込まれた状態で、電源コード１７が引っ張られたり、電源プラグ１の自重により電源プラグ１がコンセント３から少し抜けて接続が不完全な状態になると、コンセント３とプラグ本体２の間隔に応じて差込検出ボタン６がスプリングバネ７の付勢力によりプラグ本体２から突出する。そして、３つの差込検出ボタン６のうち少なくとも１つの差込検出ボタン６がプラグ本体２の表面から所定量突出すると、差込検出ボタン６の基端がスイッチ９から離れてスイッチ９がオンする。このとき、栓刃４はコンセント３に電気的に接続されているのでスイッチ９のオンにより電源回路１１から各回路に電源が供給されてＬＥＤ点灯回路１３及びブザー駆動回路１４が駆動し、これらの回路の駆動によりＬＥＤ１５が点灯し、ブザー１６が鳴動することで電源プラグ１の不完全な接続を報知するようになっている。
【００１３】
このように、３つの差込検出ボタン６のうち少なくとも１つの差込検出ボタン６が作動するとスイッチ９がオンして異常を報知するので、スイッチ９が１つの場合よりも不完全な接続をより確実に検出することができ、また、何らかの原因である１つの差込検出ボタン６が動作しなかった場合でも別の差込検出ボタン６が動作するので信頼性を向上することができる。
【００１４】
ＬＥＤ１５の点灯とブザー１６の鳴動を停止するにはコンセント３に電源プラグ２を完全に差し込むことにより再びスイッチ９がオフして停止することができる。また、コンセント３から電源プラグ２を引き抜くことでも回路に電源が供給されなくなるので停止させることができる。
【００１５】
尚、差込検出ボタン６の配置については図６（ａ）〜（ｆ）に示すように適宜に配置することでコンセントに対して電源プラグのコンセント接続面２ａが様々な方向に斜めになって不完全な接続になっても確実に検出することができる。
【００１６】
また、スイッチはｂ接点スイッチに限定するものではなく、電源プラグとコンセントが不完全な接続となったときに警報を発するのであればａ接点スイッチを使用しても何ら問題ない。また、コンセントに差込接続するための栓刃を有する電源プラグであればよいので、コンセントプラグにも実施可能である。
【図面の簡単な説明】
【００１７】
【図１】本発明に係る電源プラグを示す背面図である。
【図２】本発明に係る電源プラグを左側面から見た説明図である。
【図３】本発明に係る電源プラグを示す回路図である。
【図４】本発明に係る電源プラグを示す正面図である。
【図５】本発明に係る電源プラグをコンセントに接続した状態を左側面から見た説明図である。
【図６】本発明に係る電源プラグの変形実施例を示す背面図である。
【符号の説明】
【００１８】
１    電源プラグ
２    プラグ本体
３    コンセント
４    栓刃
５    孔
６    差込検出ボタン
７    スプリングバネ
８    プリント基板
９    スイッチ
１０    電路
１１    電源回路
１２    ノイズ防止回路
１３    ＬＥＤ点灯回路
１４    ブザー駆動回路
１５    ＬＥＤ
１６    ブザー
１７    電源コード
【図１】
2008305684.tif 000003
【図２】
2008305684.tif 000004
【図３】
2008305684.tif 000005
【図４】
2008305684.tif 000006
【図５】
2008305684.tif 000007
【図６】
2008305684.tif 000008